(57)【要約】【課題】  中継対象となる信号を増幅部５、６により増幅する無線中継増幅装置で、増幅部５、６について、低消費電力化や隣接チャネル漏洩電力比の確保を可能とする。【解決手段】  一構成例として、中継対象となる信号を増幅部５、６により増幅する無線中継増幅装置において、増幅部５、６の前段に、中継対象となる信号を抽出する超伝導フィルタ２を備えた。他の一構成例として、中継対象となる信号を増幅部５、６により増幅する無線中継増幅装置において、増幅部５、６の後段に、中継対象となる信号に含まれ得る各搬送波毎に対応したフィルタ７〜１０を備えた。【選択図】  図１
2005223592.tif 000002
【特許請求の範囲】
【請求項１】
中継対象となる信号を増幅部により増幅する無線中継増幅装置において、
増幅部の前段に、中継対象となる信号を抽出する超伝導フィルタを備え、
増幅部の後段に、中継対象となる信号に含まれ得る各搬送波毎に対応したフィルタを備えたことを特徴とする無線中継増幅装置。
【請求項２】
請求項１に記載の無線中継増幅装置において、
前記各搬送波毎に対応したフィルタは、非隣接な搬送波に対応したフィルタを並列に設けたものであることを特徴とする無線中継増幅装置。
【発明の詳細な説明】
【技術分野】
【０００１】
本発明は、例えば携帯電話システムや簡易型携帯電話システム（ＰＨＳ：Personal Handy phone System）などの移動体通信システムなどに設けられる無線中継増幅装置に関し、特に、中継対象となる信号の増幅について低消費電力化や隣接チャネル漏洩電力比の確保を可能とする無線中継増幅装置に関する。
【背景技術】
【０００２】
例えば、Ｗ−ＣＤＭＡ（Wide band-Code Division Multiple Access）方式を採用する携帯電話等のサービスでは、山の陰等の開空間で各種の無線サービスに係る電波が届かずにサービスの不感地帯が発生するのを防ぐために、無線中継増幅装置が用いられる場合がある。移動体通信における無線中継増幅装置では、基地局装置と移動局装置などとの間の通信を中継する。
図５には、無線中継増幅装置の構成例を示してある。
受信アンテナ６１は、基地局装置から無線送信される電波を受信することができる地点つまりサービス不感地帯となっていない地点であって例えば山の頂上などに設置され、受信信号を入力側帯域フィルタ６２へ送出する受信専用のアンテナである。入力側帯域フィルタ６２は、受信アンテナ６１から送出されてきた信号に対して帯域制限をして、得られた信号を低雑音増幅部６３へ送出する回路部である。低雑音増幅部６３は、低雑音増幅器から構成され、入力側帯域フィルタ６２から送られてきた信号を入力して、当該信号に電力増幅を施して出力する回路部である。電力増幅部６４は、電力増幅器から構成され、低雑音増幅部６３から送られてきた信号を入力して、当該信号に更に電力増幅を施して出力する回路部である。出力側帯域フィルタ６５は、電力増幅部６４からの出力信号を取り込んで高調波及び帯域外の不要ノイズを減衰させて送信アンテナ６６へ送出する回路部であり、また、送信アンテナ６６が受信した不要波を減衰させる回路部である。送信アンテナ６６は、出力側帯域フィルタ６５から送られてきた信号を電波として送出する送信専用アンテナであり、当該電波を所望の地域である具体的にはサ一ビス不感地帯へ送出することができる地点に設置される。
このような構成により、無線中継増幅装置では、例えば数百ｍから数ｋｍ離れたような不感地域が発生することを防ぐことができる。
なお、無線中継増幅装置については、例えば、特許文献１に記載されている。
【０００３】
【特許文献１】特開２００３−２８９２７５号公報  （図１）
【発明の開示】
【発明が解決しようとする課題】
【０００４】
しかしながら、上記のような無線中継増幅装置では、電力増幅部６４で発生する相互変調歪の影響によって隣接チャネル漏洩電力比が劣化することがないように、電力増幅部６４として飽和出力が大きな性能や歪補償回路を搭載した性能を有したものを運用していたため、装置の消費電力が多くなっていた。なお、例えば、低消費電力化のために電力増幅部６４の性能を低下させると、隣接チャネル漏洩電力比が劣化してしまう。また、例えば、隣接チャネル漏洩電力を高選択性の常温のフィルタで減衰させると、フィルタが１０段以上となってしまい、フィルタの損失が大きくなって出力レベルが低下してしまう。
本発明は、このような従来の事情に鑑み為されたもので、中継対象となる信号の増幅について低消費電力化や隣接チャネル漏洩電力比の確保を可能とすることができる無線中継増幅装置を提供することを目的とする。
【課題を解決するための手段】
【０００５】
上記目的を達成するため、本発明に係る無線中継増幅装置では、中継対象となる信号を増幅部により増幅する構成において、増幅部の前段に、中継対象となる信号を抽出する超伝導フィルタを備えた。
従って、例えば挿入損失が小さく減衰特性が急峻な超伝導フィルタを備えることにより、中継対象となる信号を増幅する増幅部について、低消費電力化や、隣接チャネル漏洩電力比の確保を可能とすることができる。
ここで、中継対象となる信号としては、種々な信号が用いられてもよい。
例えば、無線中継増幅装置では、基地局装置と移動局装置などとの間で通信される信号を中継し、具体的には、一方の装置から無線送信される信号を受信し、当該受信信号を増幅部により増幅して他方の装置に対して無線送信する。
一例として、無線中継増幅装置では、基地局装置から無線送信される信号を受信し、当該受信信号を増幅部により増幅して移動局装置などに対して無線送信する。当該信号は、例えば、複数のキャリア（搬送波）の信号を含み得る信号である。
また、増幅部としては、種々な構成のものが用いられてもよい。
また、増幅部の前段としては、増幅部の入力側のことであり、例えば、増幅部の直前が用いられてもよく、或いは、増幅部と超伝導フィルタとの間に他の回路が存在してもよい。
また、超伝導フィルタとしては、種々なものが用いられてもよく、好ましい態様例として、高温超伝導フィルタを用いることができる。
また、超伝導フィルタとしては、例えば、中継対象となる信号の周波数成分を通過させる帯域通過フィルタを用いることができる。
【０００６】
本発明に係る無線中継増幅装置では、中継対象となる信号を増幅部により増幅する構成において、増幅部の後段に、中継対象となる信号に含まれ得る各搬送波毎（各キャリア毎）に対応したフィルタを備えた。
従って、例えば、増幅部の後段に各搬送波毎に対応したフィルタを備えることにより、中継対象となる信号を増幅する増幅部について、低消費電力化や、隣接チャネル漏洩電力比の確保を可能とすることができる。
ここで、増幅部の後段としては、増幅部の出力側のことであり、例えば、増幅部の直後が用いられてもよく、或いは、増幅部とフィルタとの間に他の回路が存在してもよい。
また、中継対象となる信号としては、例えば、複数の異なる周波数の搬送波（キャリア）の信号が含まれ得るものであり、通信状況などに応じて１個の搬送波の信号のみが含まれる場合や、２個の搬送波の信号が含まれる場合や、同様に、３個以上の任意の複数個の搬送波の信号が含まれる場合があるようなものが用いられる。
また、各搬送波毎に対応したフィルタとしては、種々なものが用いられてもよく、例えば、各搬送波に対応した周波数の信号を通過させる帯域通過フィルタを用いることができる。また、フィルタとしては、例えば、高温超伝導などを使用した超伝導フィルタを用いることもできる。
本発明に係る無線中継増幅装置では、前記各搬送波毎（各キャリア毎）に対応したフィルタは、非隣接な搬送波（キャリア）に対応したフィルタを並列に設けたものである。
【０００７】
以下で、更に、無線中継増幅装置に係る他の構成例を示す。
一構成例として、増幅部は、複数の増幅器から構成されている。また、中継対象となる信号を複数に分配する分配手段を備え、それぞれの分配信号を各増幅器に入力する。
一構成例として、それぞれの増幅器の後段（出力側）には、各搬送波毎に対応したフィルタの１以上が接続される。また、同一の増幅器の後段に２以上のフィルタが並列して接続される場合には、例えば、周波数が非隣接な（つまり、隣接しない）搬送波に対応したフィルタが接続される。つまり、同一の増幅器の後段には、例えば、互いに隣接する搬送波に対応したフィルタどうしは接続されない。
また、例えば、各搬送波毎に対応した搬送波の数と同数のフィルタが、各増幅器の後段に分散されて接続される。この場合、同一の搬送波に対応したフィルタは１個のみ存在する。また、例えば、各フィルタから出力される信号は、全てのフィルタについて合成されて、当該合成信号が中継先に対して送信される。
【０００８】
以下で、更に、無線中継増幅装置の一構成例を示しておく。
なお、かっこ“（）”内の符号は、図１に示される構成に対応したものであり、説明の便宜上から付しただけであり、特に限定する意図は無い。
一構成例に係る無線中継増幅装置では、基地局からの電波を受信する受信アンテナ（１）と、該受信アンテナ（１）で受信された高周波信号の使用帯域信号を選択する入力側の高温超伝導フィルタ（２）と、該入力側の帯域フィルタ（２）の出力信号を低雑音増幅する低雑音増幅部（３）と、該低雑音増幅部（３）の出力を電力分配する２分配器（４）と、該２分配器（４）の出力信号を電力増幅する第１の電力増幅部（５）と、該２分配器（４）のもう一方の出力信号を電力増幅する第２の電力増幅部（６）と、該第１の電力増幅部（５）の出力信号の内１番目の搬送波を選択する高温超伝導フィルタ（７）と、該第１の電力増幅部（５）の出力信号の内３番目の搬送波を選択する高温超伝導フィルタ（８）と、該第２の電力増幅部（６）の出力信号の内２番目の搬送波を選択する高温超伝導フィルタ（９）と、該第２の電力増幅部（６）の出力信号の内４番目の搬送波を選択する高温超伝導フィルタ（１０）と、該高温超伝導フィルタ（７）〜（１０）の出力を合波後出力信号を放射する送信アンテナ（１１）と、該高温超伝導フィルタ（２）と該高温超伝導フィルタ（７）〜（１０）を超伝導状態にするために極低温に冷却する冷却手段（１２）と、該高温超伝導フィルタ（２）と該高温超伝導フィルタ（７）〜（１０）を熱遮断する熱遮断容器（１３）とが備えられたことを特徴とする。
【発明の効果】
【０００９】
以上説明したように、本発明に係る無線中継増幅装置によると、増幅部の前段に備えた超伝導フィルタにより中継対象となる信号を抽出して、中継対象となる信号を増幅部により増幅するようにしたため、例えば、増幅部について、低消費電力化や、隣接チャネル漏洩電力比の確保を可能とすることができる。
また、本発明に係る無線中継増幅装置によると、中継対象となる信号を増幅部により増幅して、増幅部の後段に備えた各搬送波毎（各キャリア毎）に対応したフィルタにより中継対象となる信号に含まれる各搬送波に対応した信号を抽出するようにしたため、例えば、増幅部について、低消費電力化や、隣接チャネル漏洩電力比の確保を可能とすることができる。
【発明を実施するための最良の形態】
【００１０】
本発明に係る実施例を図面を参照して説明する。
本実施例では、Ｗ−ＣＤＭＡ方式を採用した移動体通信システムで中継器として用いられる無線中継増幅装置に本発明を適用した場合を示す。
本実施例に係る無線中継増幅装置では、増幅部の前段（入力側）に超伝導フィルタを設けた構成や、増幅部の後段（出力側）にキャリア（搬送波）の帯域毎にフィルタを設けた構成を有する。
また、本実施例に係る無線中継増幅装置では、増幅部の後段にフィルタを設ける構成として、適当に帯域を分散させた構成を有する。
【実施例１】
【００１１】
本発明の第１実施例に係る無線中継増幅装置を説明する。
本例では、無線中継増幅装置により４個のキャリア（搬送波）の信号が中継される場合を示し、また、第１のキャリアの周波数をＦ１とし、第２のキャリアの周波数をＦ２とし、第３のキャリアの周波数をＦ３とし、第４のキャリアの周波数をＦ４とする。
図１には、本例の無線中継増幅装置の構成例を示してある。
本例の無線中継増幅装置は、受信アンテナ１と、例えば高温超伝導を使用した入力側の帯域通過フィルタ（超伝導帯域フィルタ）２と、低雑音増幅器（ＬＮＡ：Low Noise Amplifier）から構成された低雑音増幅部３と、２分配器４と、電力増幅器から構成された第１の電力増幅部５と、電力増幅器から構成された第２の電力増幅部６と、例えば高温超伝導を使用した出力側の帯域通過フィルタ（超伝導帯域フィルタ）であって第１のキャリアの周波数Ｆ１を通過させる第１の超伝導帯域フィルタ７と、例えば高温超伝導を使用した出力側の帯域通過フィルタ（超伝導帯域フィルタ）であって第３のキャリアの周波数Ｆ３を通過させる第３の超伝導帯域フィルタ８と、例えば高温超伝導を使用した出力側の帯域通過フィルタ（超伝導帯域フィルタ）であって第２のキャリアの周波数Ｆ２を通過させる第２の超伝導帯域フィルタ９と、例えば高温超伝導を使用した出力側の帯域通過フィルタ（超伝導帯域フィルタ）であって第４のキャリアの周波数Ｆ４を通過させる第４の超伝導帯域フィルタ１０と、送信アンテナ１１と、冷凍機（冷却機）１２と、前記した５個の超伝導帯域フィルタ２、７〜１０及び前記した冷凍機１２を収容する例えば函型の熱遮断容器１３を備えている。
【００１２】
受信アンテナ１は、基地局装置から無線により送信された信号（電波）を受信する。
入力側の超伝導帯域フィルタ２は、受信アンテナ１により受信された高周波信号のうちで使用帯域の信号を選択的に抽出して出力する。当該使用帯域としては、例えば、全てのキャリアの周波数Ｆ１〜Ｆ４を含むような周波数帯域が用いられる。
低雑音増幅部３は、入力側の超伝導帯域フィルタ２からの出力信号を低雑音増幅して出力する。
２分配器４は、低雑音増幅部３からの出力信号を２つに電力分配（二分配）して出力する。
第１の電力増幅部５は、２分配器４からの一方の出力信号を電力増幅して出力する。
第２の電力増幅部６は、２分配器４からの他方の出力信号を電力増幅して出力する。
【００１３】
第１の超伝導帯域フィルタ７は、第１の電力増幅部５からの出力信号のうちで第１のキャリアに相当する周波数成分を選択的に抽出して出力する。
第３の超伝導帯域フィルタ８は、第１の電力増幅部５からの出力信号のうちで第３のキャリアに相当する周波数成分を選択的に抽出して出力する。
第２の超伝導帯域フィルタ９は、第２の電力増幅部６からの出力信号のうちで第２のキャリアに相当する周波数成分を選択的に抽出して出力する。
第４の超伝導帯域フィルタ１０は、第２の電力増幅部６からの出力信号のうちで第４のキャリアに相当する周波数成分を選択的に抽出して出力する。
送信アンテナ１１は、４個の出力側の超伝導帯域フィルタ７〜９からの出力信号を合波した後に、当該合成結果の出力信号を移動局装置などに対して無線により送信（放射）する。
冷凍機１２は、１個の入力側の超伝導帯域フィルタ２と４個の出力側の超伝導帯域フィルタ７〜１０を超伝導状態にするために極低温に冷却する。
熱遮断容器１３は、１個の入力側の超伝導帯域フィルタ２と４個の出力側の超伝導帯域フィルタ７〜１０と冷凍機１２を外部から断熱（熱遮断）する。
【００１４】
ここで、各超伝導帯域フィルタ２、７〜１０は、例えば、極低温で超伝導特性を示す超伝導材料から構成されている。また、各超伝導帯域フィルタ２、７〜１０では、安定して極低温に保たれることにより、例えば、帯域フィルタの挿入損失が小さくなり、また、帯域フィルタの減衰特性が急峻となる。
また、各超伝導帯域フィルタ２、７〜１０としては、本例のように、高温超伝導材料から構成されるのが好ましい。高温超伝導材料としては、例えば、Ｂｉ系、Ｔｉ系、Ｐｂ系、Ｙ系などの銅酸化物を用いることができる。
また、冷凍機１２は、冷却部材を用いて、各超伝導帯域フィルタ２、７〜１０が超伝導状態を示す温度に、当該各超伝導帯域フィルタ２、７〜１０を冷却する。
【００１５】
本例の無線中継増幅装置について、更に詳しく説明する。
本例では、電力増幅部５、６を低消費電力化しており、このため、相互変調歪特性が劣化しており隣接チャネル漏洩電力比が劣化しているとする。
例えば、本例のＷ−ＣＤＭＡ通信では、最大で４個のキャリア（第１のキャリア〜第４のキャリア）を使用しており、４個のキャリアだけでの運用であれば、出力側に４個のキャリアが通過可能で帯域外の減衰特性が急峻なフィルタを用いることにより、隣接チャネル漏洩電力比を改善することができる。
しかしながら、実際には、無線中継増幅装置が設置されている場所では、キャリアの数が１波である場合や２波である場合や３波である場合もあり、また、無線中継増幅装置の設置後にキャリアの数が変わるような場合もある。
そこで、本例では、第１の電力増幅部５の出力側には、第１のキャリアに対応した第１の超伝導帯域フィルタ７と、第３のキャリアに対応した第３の超伝導帯域フィルタ８を並列に備えており、また、第２の電力増幅部６の出力側には、第２のキャリアに対応した第２の超伝導帯域フィルタ９と、第４のキャリアに対応した第４の超伝導帯域フィルタ１０を並列に備えている。
【００１６】
ここで、第１の電力増幅部５の側の信号経路を例として説明する。
図１において、第１の電力増幅部５の出力点ｂから送信アンテナ１１の入力点ｃまでのフィルタ特性は、第１のキャリアを選択する第１の超伝導帯域フィルタ７のフィルタ特性と第３のキャリアを選択する第３の超伝導帯域フィルタ８のフィルタ特性とを合成した特性となる。
図２（Ａ）や図２（Ｂ）には、点ｂから点ｃまでのフィルタ部分のフィルタ特性の一例と、当該フィルタ部分への入力（フィルタ入力）の一例と、当該フィルタ部分からの出力（フィルタ出力）の一例を示してある。
図２（Ａ）及び図２（Ｂ）に示されるフィルタ特性では、第１のキャリアの周波数Ｆ１及び第３のキャリアの周波数Ｆ３が通過帯域となっており、第１のキャリアと第３のキャリアの隣接チャネルに当たる第２のキャリアの周波数Ｆ２が減衰され、また、第３のキャリアの隣接チャネルに当たる第４のキャリアの周波数Ｆ４が減衰される。
【００１７】
一例として、図２（Ａ）に示されるように、無線中継増幅装置に第１のキャリアと第３のキャリアと第４のキャリアの信号が入力される場合には、第１の電力増幅部５で発生した相互変調歪が含まれる増幅信号がフィルタ部分に入力されても、当該相互変調歪はフィルタ通過後（フィルタ出力）では減衰させられる。
他の一例として、図２（Ｂ）に示されるように、無線中継増幅装置に第１のキャリアの信号だけが入力されて、当該信号が第１の電力増幅部５を経由してフィルタ部分に入力される場合には、第１のキャリアに対して隣接チャネルとなる第２のキャリアの周波数Ｆ２の信号は減衰させられるが、次の隣接チャネル（次隣接チャネル）となる第３のキャリアの周波数Ｆ３は通過帯域となる。この場合、例えば、次隣接チャネルにおける相互変調歪特性の劣化が大きくないときには、図１に示されるような構成により、隣接チャネル漏洩電力比及び次隣接チャネル漏洩電力比を実用上で有効な値とすることが満足される。
なお、隣接チャネルや次隣接チャネルの漏洩電力比を実用上で有効な値とする態様としては、例えば、隣接チャネルや次隣接チャネルの漏洩電力を希望チャネルの電力と比較して十分に小さくするような態様が用いられる。
【００１８】
以上のように、本例の無線中継増幅装置では、例えば高温超伝導を使用した超伝導帯域フィルタ２、７〜１０を入力側のフィルタや出力側のフィルタとして用いたため、中継対象となる信号の増幅について、低消費電力化や隣接チャネル漏洩電力比の確保を可能とすることができる。
例えば、電力増幅部５、６による消費電力を低減して、隣接チャネル漏洩電力比を十分に取れる高温超伝導帯域フィルタ７〜１０を出力側のフィルタとして用いることにより、隣接チャネル漏洩電力比が劣化することのない無線中継増幅装置を実現することが可能である。このため、例えば、低消費電力化した電力増幅部５、６を用いる構成においても、隣接チャネル漏洩電力比を満足した無線中継増幅装置を実現することが可能である。
また、本例の無線中継増幅装置では、第１の電力増幅部５の後段或いは第２の電力増幅部６の後段において、隣り合わないキャリア（非隣接なキャリア）に対応したフィルタを並列させて隣に設けている。これにより、隣接チャネルにおける相互変調歪の減衰が為されて、例えば、急峻なフィルタ特性を得ることができる。
なお、本例の無線中継増幅装置では、第１の電力増幅部５や第２の電力増幅部６により増幅部が構成されており、入力側の高温超伝導帯域フィルタ２により中継対象となる信号を抽出する超伝導フィルタが構成されており、出力側の第１〜第４の高温超伝導帯域フィルタ７〜１０により各搬送波毎（各キャリア毎）に対応したフィルタが構成されており、２分配器４により分配手段が構成されている。
【実施例２】
【００１９】
本発明の第２実施例に係る無線中継増幅装置を説明する。
本例では、図１に示される無線中継増幅装置の構成において、図２（Ｂ）に示される場合に、次隣接チャネルにおける相互変調歪特性の劣化が大きくて、電力増幅部５、６による次隣接チャネルの漏洩電力比の劣化が大きいために、次隣接チャネル漏洩電力比を実用上で有効な値とすることが満足されないようなときに、有効な他の構成例を示す。
本例の無線中継増幅装置の構成は、図１に示される無線中継増幅装置の構成において、低雑音増幅部３の出力点ａと送信アンテナ１１の入力点ｃとの間の部分（増幅及びフィルタ部分）の構成を図３（Ａ）に示されるような構成としたものであり、異なる部分について詳しく説明する。また、図１に示されるのと同様な部分については、同一の符号１〜３、１１、１２を用いて説明する。
図３（Ａ）には、本例の無線中継増幅装置の増幅及びフィルタ部分の構成例を示してある。また、図３（Ｂ）には、フィルタ部分のフィルタ特性の一例を示してある。
本例の増幅及びフィルタ部分には、３個の２分配器２１〜２３と、４個の電力増幅部２４〜２７と、例えば高温超伝導を使用した４個の超伝導帯域フィルタ２８〜３１が備えられている。また、図３（Ａ）には、熱遮断容器３２（一部）を示してある。
ここで、第１の２分配器２１の入力側は低雑音増幅部３の出力点ａと接続され、４個の超伝導帯域フィルタ２８〜３１の出力側は送信アンテナ１１の入力点ｃと接続される。
【００２０】
本例の増幅及びフィルタ部分では、低雑音増幅部３からの出力信号が第１の２分配器２１により２分配され、一方の分配信号が第２の２分配器２２により更に２分配され、他方の分配信号が第３の２分配器２３により更に２分配される。これにより結果として４分配されたそれぞれの信号が、それぞれの電力増幅部２４〜２７により電力増幅されて出力される。第１の電力増幅部２４からの出力信号は第１のキャリアの周波数Ｆ１を通過させる第１の超伝導帯域フィルタ２８によりフィルタリングされ、第２の電力増幅部２５からの出力信号は第３のキャリアの周波数Ｆ３を通過させる第３の超伝導帯域フィルタ２９によりフィルタリングされ、第３の電力増幅部２６からの出力信号は第２のキャリアの周波数Ｆ２を通過させる第２の超伝導帯域フィルタ３０によりフィルタリングされ、第４の電力増幅部２７からの出力信号は第４のキャリアの周波数Ｆ４を通過させる第４の超伝導帯域フィルタ３１によりフィルタリングされる。そして、これら４個の超伝導帯域フィルタ２８〜３１からの出力信号が、合成されて送信アンテナ１１から送信出力される。
このように、本例の無線中継増幅装置では、４個の電力増幅部２４〜２７を並列に接続して、各々に超伝導帯域フィルタ２８〜３１を設けた構成とした。
なお、本例の無線中継増幅装置では、第１〜第４の電力増幅部２４〜２７により増幅部が構成されており、出力側の第１〜第４の高温超伝導帯域フィルタ２８〜３１により各搬送波毎（各キャリア毎）に対応したフィルタが構成されており、第１〜第３の２分配器２１〜２３により分配手段が構成されている。
【実施例３】
【００２１】
本発明の第３実施例に係る無線中継増幅装置を説明する。
本例では、図１に示される無線中継増幅装置の構成において、図２（Ｂ）に示される場合に、次隣接チャネルにおける相互変調歪特性の劣化が大きくて、電力増幅部５、６による次隣接チャネルの漏洩電力比の劣化が大きいために、次隣接チャネル漏洩電力比を実用上で有効な値とすることが満足されないようなときに、有効な他の構成例を示す。
本例の無線中継増幅装置の構成は、図１に示される無線中継増幅装置の構成において、低雑音増幅部３の出力点ａと送信アンテナ１１の入力点ｃとの間の部分（増幅及びフィルタ部分）の構成を図４（Ａ）に示されるような構成としたものであり、異なる部分について詳しく説明する。また、図１に示されるのと同様な部分については、同一の符号１〜３、１１、１２を用いて説明する。
図４（Ａ）には、本例の無線中継増幅装置の増幅及びフィルタ部分の構成例を示してある。また、図４（Ｂ）には、フィルタ部分のフィルタ特性の一例を示してある。
本例の増幅及びフィルタ部分には、２個の２分配器４１、４２と、３個の電力増幅部４３〜４５と、例えば高温超伝導を使用した４個の超伝導帯域フィルタ４６〜４９が備えられている。また、図４（Ａ）には、熱遮断容器５０（一部）を示してある。
ここで、第１の２分配器４１の入力側は低雑音増幅部３の出力点ａと接続され、４個の超伝導帯域フィルタ４６〜４９の出力側は送信アンテナ１１の入力点ｃと接続される。
【００２２】
本例の増幅及びフィルタ部分では、低雑音増幅部３からの出力信号が第１の２分配器４１により２分配され、一方の分配信号が第２の２分配器４２に入力され、他方の分配信号が第３の電力増幅部４５に入力されて電力増幅される。当該一方の分配信号は第２の２分配器４２により更に２分配され、当該２分配に係るそれぞれの分配信号が第１の電力増幅部４３と第２の電力増幅部４４のそれぞれに入力されて電力増幅される。第１の電力増幅部４３からの出力信号は第２のキャリアの周波数Ｆ２を通過させる第２の超伝導帯域フィルタ４６によりフィルタリングされ、第２の電力増幅部４４からの出力信号は第３のキャリアの周波数Ｆ３を通過させる第３の超伝導帯域フィルタ４７によりフィルタリングされ、第３の電力増幅部４５からの出力信号は第１のキャリアの周波数Ｆ１を通過させる第１の超伝導帯域フィルタ４８及び第４のキャリアの周波数Ｆ４を通過させる第４の超伝導帯域フィルタ４９によりフィルタリングされる。そして、これら４個の超伝導帯域フィルタ４６〜４９からの出力信号が、合成されて送信アンテナ１１から送信出力される。
このように、本例の無線中継増幅装置では、３個の電力増幅部４３〜４５を並列に接続して、第２のキャリアの周波数Ｆ２の通過用の超伝導帯域フィルタ４６と、第３のキャリアの周波数Ｆ３の通過用の超伝導帯域フィルタ４７とを個別な信号経路に設けた。
なお、本例の無線中継増幅装置では、第１〜第３の電力増幅部４３〜４５により増幅部が構成されており、出力側の第１〜第４の高温超伝導帯域フィルタ４６〜４９により各搬送波毎（各キャリア毎）に対応したフィルタが構成されており、第１の２分配器４１や第２の２分配器４２により分配手段が構成されている。
【００２３】
ここで、本発明に係る無線中継増幅装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線中継増幅装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２４】
【図１】本発明の第１実施例に係る無線中継増幅装置の構成例を示す図である。
【図２】（Ａ）及び（Ｂ）はフィルタ部分の伝送特性などの一例を示す図である。
【図３】（Ａ）は本発明の第２実施例に係る無線中継増幅装置の増幅及びフィルタ部分の構成例を示す図であり、（Ｂ）はフィルタ部分のフィルタ特性の一例を示す図である。
【図４】（Ａ）は本発明の第３実施例に係る無線中継増幅装置の増幅及びフィルタ部分の構成例を示す図であり、（Ｂ）はフィルタ部分のフィルタ特性の一例を示す図である。
【図５】無線中継増幅装置の構成例を示す図である。
【符号の説明】
【００２５】
１、６１・・受信アンテナ、  ２、７〜１０、２８〜３１、４６〜４９・・超伝導帯域フィルタ、  ３、６３・・低雑音増幅部、  ４、２１〜２３、４１、４２・・２分配器、  ５、６、２４〜２７、４３〜４５、６４・・電力増幅部、  １１、６６・・送信アンテナ、  １２・・冷凍機、  １３、３２、５０・・熱遮断容器、  ６２、６５・・帯域フィルタ、
【図１】
2005223592.tif 000003
【図２】
2005223592.tif 000004
【図３】
2005223592.tif 000005
【図４】
2005223592.tif 000006
【図５】
2005223592.tif 000007